(57)【要約】【課題】  ダミー波形を映像信号と間違えて判断するおそれがなく、映像信号振幅を安定して調整することが可能な復調信号振幅調整装置を提供する。【解決手段】  映像モニターに映像信号を入力するパターンジェネレータと、前記映像モニターの調整ボリュームにより調整された映像信号波形の測定をするデジタルオシロスコープと、前記映像モニターと前記パターンジェネレータ及び前記との間にあって前記映像信号の経路及び前記測定の経路を切替える計測Ｉ／Ｆ回路と、前記デジタルオシロスコープにより測定をされた電圧信号を読み取る測定Ｉ／Ｆ部と、前記電圧信号の電圧値により前記調整ボリュームの調整角を決定する演算部と、前記調整角の回転指示を指令する制御部と、前記制御部の指令によって前記調整ボリュームを回動させる調整ビット部を有してなる。【選択図】図１
2005129978.tif 000002
【特許請求の範囲】
【請求項１】
映像モニターに映像信号を入力するパターンジェネレータと、前記映像モニターの調整ボリュームにより調整された映像信号波形の測定をするデジタルオシロスコープと、前記映像モニターと前記パターンジェネレータ及び前記との間にあって前記映像信号の経路及び前記測定の経路を切替える計測Ｉ／Ｆ回路と、前記デジタルオシロスコープにより測定をされた電圧信号を読み取る測定Ｉ／Ｆ部と、前記電圧信号の電圧値により前記調整ボリュームの調整角を決定する演算部と、前記調整角の回転指示を指令する制御部と、前記制御部の指令によって前記調整ボリュームを回動させる調整ビット部を有してなることを特徴とする復調信号振幅調整装置。
【発明の詳細な説明】
【技術分野】
【０００１】
本発明は、映像信号の復調信号振幅調整装置、特にカメラ等の画像撮影装置からの信号を受けて映像信号を復調させる復調信号振幅調整装置に関するものである。
【背景技術】
【０００２】
従来、ＬＣＤ（液晶表示パネル）等の映像モニターに、カメラ等の画像撮影装置からの信号を受けて映像信号及び音声信号を復調させる時のＬＣＤの調整は以下のようにしていた。まず、カメラから伝送されたの両方の信号をフィルタで分離した後、映像信号を復調する。一方、予めＬＣＤの調整ボリュームを一定方向に回転することにより、規格値に自動調整をしていた。この復調・調整を改良したものが特開平６―３１１４５１号公報や特開平６―２５３２３５号公報に開示されている。
【特許文献１】特開平６―３１１４５１号公報
【特許文献２】特開平６―２５３２３５号公報
【発明の開示】
【発明が解決しようとする課題】
【０００３】
しかしながら、従来や前記特許文献の映像信号の復調・調整手段では、調整途中にダミー波形が現れて、このダミー波形の振幅が大きい場合には、これを映像信号と間違えて判断することにより、調整が不完全となるおそれがあった。
【０００４】
本発明は、かかる事由に鑑みてなしたもので、その目的とするところは、ダミー波形を映像信号と間違えて判断するおそれがなく、映像信号振幅を安定して調整することが可能な復調信号振幅調整装置を提供することにある。
【課題を解決するための手段】
【０００５】
上記課題を解決するために、本願発明の復調信号振幅調整装置は、映像モニターに映像信号を入力するパターンジェネレータと、前記映像モニターの調整ボリュームにより調整された映像信号波形の測定をするデジタルオシロスコープと、前記映像モニターと前記パターンジェネレータ及び前記との間にあって前記映像信号の経路及び前記測定の経路を切替える計測Ｉ／Ｆ回路と、前記デジタルオシロスコープにより測定をされた電圧信号を読み取る測定Ｉ／Ｆ部と、前記電圧信号の電圧値により前記調整ボリュームの調整角を決定する演算部と、前記調整角の回転指示を指令する制御部と、前記制御部の指令によって前記調整ボリュームを回動させる調整ビット部を有してなることを特徴としている。
【発明の効果】
【０００６】
本願発明の復調信号振幅調整装置は、規格値へ調整を開始する前に、調整開始の特徴点を検索して、確実に規格値へ調整をすることができるので、ダミー波形を映像信号と間違えて判断するおそれがなく、映像信号振幅を安定して調整することができる。
【発明を実施するための最良の形態】
【０００７】
本実施形態の復調信号振幅調整装置を図１、２に基づいて説明する。本実施形態の復調信号振幅調整装置１は、図１に示すように、映像モニターであるＬＣＤ１０の画像信号を調整するためのものであり、パターンジェネレータ２及びデジタルオシロスコープ３とを計測Ｉ／Ｆ回路４を介して接続し、演算部５と測定Ｉ／Ｆ部６と制御部７を有する調整部８によって計測Ｉ／Ｆ回路４の測定経路を切替えて、さらに、ＬＣＤ１０の調整ボリュームＶＲを回動して調整する調整ビット部９とを具備している。
【０００８】
ＬＣＤ１０は、画像撮影装置であるカメラから信号を伝送されて、その画像をカラー液晶のパネルに表示するものであり、画像信号を調整するために調整ボリュームＶＲを有している。通常は図２に示すように、カメラ１５から伝送された映像信号及び音声信号をフィルタ・復調回路１６に入力させることで、音声信号を分離するとともに、映像信号を復調している。この映像信号をレベル調整回路１７により、レベル調整をした信号をＬＣＤ１０に入力することにより、カメラ１５で撮影される画像をＬＣＤ１０に表示させている。また、復調信号振幅調整装置１において、パターンジェネレータ２は、ＬＣＤ１０の調整のために映像信号を発生させる機能を有し、デジタルオシロスコープ３は、ＬＣＤ１０の調整ボリュームＶＲにより調整された映像復調振幅信号の波形の測定をする機能を有している。また、計測Ｉ／Ｆ回路４は、ＬＣＤ１０とパターンジェネレータ２及びデジタルオシロスコープ３との間に接続しており、調整部８にも直接に接続されている。そして、パターンジェネレータ２からの映像信号と調整部８からの映像復調振幅信号の経路や測定の経路を切替える機能を有している。
【０００９】
さらに、調整部８の測定Ｉ／Ｆ部６は、デジタルオシロスコープ３の電圧信号を読みとり、この電圧信号を受けて演算部５で演算処理することにより、調整ボリュームＶＲの調整角を決定している。この情報に基づいて制御部７から調整ビット部１１の調整の指令信号を出力して、調整ビット部９が調整ボリュームＶＲを回動することにより、ＬＣＤ１０の画像を調整している。
【００１０】
以下に、本実施形態の復調信号振幅調整装置１を用いたＬＣＤ１０の映像信号の調整手順を図３、４に示すフローチャートと、図５〜７に示す電圧波形図に基づいて説明する。この調整手順は、前調整手順、粗調整手順、微調整手順とからなっている。まず、前調整手順と粗調整手順では、図３に示すフローチャートに従って調整をする。最初に、図５（ａ）に示すように、調整ボリュームＶＲの回転角を０ｄｅｇで映像信号の正常波形を入力する。この状態から調整を開始して、調整ボリュームＶＲの回転角を調整ビット部９により回転しながら、デジタルオシロスコープ３で電圧波形のＰＰ値（ピーク―ピーク値）を測定していく。最初に、例えば、図５（ｂ）に示すように回転角１２０ｄｅｇで、ダミー波形が現れるが、さらに調整ボリュームＶＲを回転すると、図５（ｃ）に示すように電圧波形のＰＰ値が０．１Ｖ以下になるときが現れる。この状態で、さらに調整ボリュームＶＲを１０ｄｅｇ回転しても、ＰＰ値の変化が０．０５Ｖ以下であれば、この状態を調整開始の特徴点として、粗調整手順に移行する。本実施形態では、回転角２７０ｄｅｇの時（図５（ｄ））が調整開始の特徴点となっている。
【００１１】
次に、粗調整手順では、デジタルオシロスコープ３で電圧波形のＰＰ値を測定しながら、さらに、調整ボリュームＶＲを回転していく。こうして、図６（ａ）に示すように電圧波形のＰＰ値が０．６〜０．９Ｖとなる状態を見つける。さらに、調整ボリュームＶＲを１０ｄｅｇ回転しても、ＰＰ値の変化が０．０５Ｖ以下であれば微調整手順に移行する。本実施形態では、回転角３００ｄｅｇの時（図６（ｂ））が微調整手順への移行角となっている。
【００１２】
次に、微調整手順では、図４に示すフローチャートに従って調整をする。粗調整手順と同様にして、デジタルオシロスコープ３で電圧波形のＰＰ値を測定しながら（図７（ａ）、（ｂ））、さらに、調整ボリュームＶＲを微細に回転していく。こうして、図７（ｃ）に示すように電圧波形のＰＰ値が１．０Ｖとなる状態を見つける。このようにして、ＬＣＤ１０の調整が完了する。本実施形態では、回転角３５２ｄｅｇの時が調整完了の移行角となっている。
【００１３】
本実施形態の復調信号振幅調整装置は、映像モニターに映像信号を入力するパターンジェネレータと、前記映像モニターの調整ボリュームにより調整された映像信号波形の測定をするデジタルオシロスコープと、前記映像モニターと前記パターンジェネレータ及び前記との間にあって前記映像信号の経路及び前記測定の経路を切替える計測Ｉ／Ｆ回路と、前記デジタルオシロスコープにより測定をされた電圧信号を読み取る測定Ｉ／Ｆ部と、前記電圧信号の電圧値により前記調整ボリュームの調整角を決定する演算部と、前記調整角の回転指示を指令する制御部と、前記制御部の指令によって前記調整ボリュームを回動させる調整ビット部を有してなるので、規格値へ調整を開始する前に、調整開始の特徴点を検索して、確実に規格値へ調整をすることができるので、ダミー波形を映像信号と間違えて判断するおそれがなく、映像信号振幅を安定して調整することができる。
【図面の簡単な説明】
【００１４】
【図１】本実施形態の復調信号振幅調整装置のブロック図である。
【図２】本実施形態のＬＣＤの動作ブロック図である。
【図３】本実施形態の復調信号振幅調整装置によるＬＣＤの前調整手順と粗調整手順を示すフローチャートである。
【図４】本実施形態の復調信号振幅調整装置によるＬＣＤの微調整手順を示すフローチャートである。
【図５】本実施形態の復調信号振幅調整装置によるＬＣＤの前調整手順での映像信号の電圧波形である。
【図６】本実施形態の復調信号振幅調整装置によるＬＣＤの粗調整手順での映像信号の電圧波形である。
【図７】本実施形態の復調信号振幅調整装置によるＬＣＤの微調整手順での映像信号の電圧波形である。
【符号の説明】
【００１５】
１        復調信号振幅調整装置
２        パターンジェネレータ
３        デジタルオシロスコープ
４        計測Ｉ／Ｆ回路
５        演算部
６        測定Ｉ／Ｆ部
７        制御部
８        調整部
９        調整ビット部
１０      ＬＣＤ
ＶＲ      調整ボリューム
【図１】
2005129978.tif 000003
【図２】
2005129978.tif 000004
【図３】
2005129978.tif 000005
【図４】
2005129978.tif 000006
【図５】
2005129978.tif 000007
【図６】
2005129978.tif 000008
【図７】
2005129978.tif 000009